(57)【要約】本発明は、通信ネットワークの移動局ＭＳ−ｉと無線アクセスネットワークＲＡＮの少なくとも１つの無線ネットワークコントローラＢＳＣとの間の無線リンクの一時中断の管理専用の装置Ｄに関する。前記装置は、移動局ＭＳ−ｉと無線ネットワークコントローラＢＳＣｎとの間の無線リンクの中断を検出可能な検出手段ＤＭと、検出手段ＤＭによって中断が検出された場合に、無線リンクを一時停止し、次いで選択された時間スキームに従って前記無線リンクの再開を試行するよう、無線ネットワークコントローラＢＳＣｎに命令することが可能な制御手段ＣＭとを含む。
2006501731.tif 000002
【特許請求の範囲】
【請求項１】
通信ネットワークの少なくとも１つの移動局（ＭＳ−ｉ）と無線アクセスネットワーク（ＲＡＮ）との間の無線リンクを管理する方法であって、移動局（ＭＳ−ｉ）と前記無線アクセスネットワーク（ＲＡＮ）との間の無線リンクに中断が検出された場合に、前記無線リンクが一時停止され、選択されたタイムテーブルを適用して前記無線リンクの再開が試行されることを特徴とする方法。
【請求項２】
前記無線リンクの再開の試行が、中断が検出されるたびに行われることを特徴とする請求項１に記載の方法。
【請求項３】
前記無線リンクの再開の試行が、選択された時間間隔にわたって、前記選択されたタイムテーブルを適用して行われることを特徴とする請求項１に記載の方法。
【請求項４】
前記タイムテーブルが定期的なタイプのものであることを特徴とする請求項１に記載の方法。
【請求項５】
前記タイムテーブルが、前記通信ネットワーク内で得られ、前記検出された中断の持続時間に関する統計結果に基づいて、作成されることを特徴とする請求項１に記載の方法。
【請求項６】
通信ネットワークの少なくとも１つの移動局（ＭＳ−ｉ）と無線アクセスネットワーク（ＲＡＮ）の無線ネットワークコントローラ（ＢＳＣｎ）との間の無線リンクを管理する装置であって、移動局（ＭＳ−ｉ）と前記無線ネットワークコントローラ（ＢＳＣｎ）との間の無線リンクの中断を検出するように構成された検出手段（ＤＭ）と、そのような中断が検出された場合に、前記無線リンクを一時停止し、次いで選択されたタイムテーブルを適用して前記無線リンクの再開を試行するよう、前記無線ネットワークコントローラ（ＢＳＣｎ）に命令するように構成された制御手段（ＣＭ）とを含むことを特徴とする装置。
【請求項７】
前記制御手段（ＣＭ）が、前記検出手段（ＤＭ）によって中断の検出が通知されるたびに前記無線リンクの再開を試行するよう、前記無線ネットワークコントローラ（ＢＳＣｎ）に命令するように構成されることを特徴とする請求項６に記載の装置。
【請求項８】
前記制御手段（ＣＭ）が、選択された時間間隔の間に、前記選択されたタイムテーブルを適用して前記無線リンクの再開を試行するよう、前記無線ネットワークコントローラ（ＢＳＣｎ）に命令するように構成されることを特徴とする請求項６に記載の装置。
【請求項９】
前記タイムテーブルが定期的なタイプのものであることを特徴とする請求項６に記載の装置。
【請求項１０】
前記制御手段（ＣＭ）が、前記通信ネットワーク内で得られ、前記検出手段（ＤＭ）によって検出された前記中断の持続時間に関する統計結果に基づいて、前記タイムテーブルを作成するように構成されることを特徴とする請求項６に記載の装置。
【請求項１１】
通信ネットワークの無線アクセスネットワーク（ＲＡＮ）の無線ネットワークコントローラ（ＢＳＣｎ）であって、請求項６から１０のいずれか一項に記載の装置（Ｄ）を含むことを特徴とするコントローラ。
【請求項１２】
少なくとも１つの無線ネットワークコントローラ（ＢＳＣｎ）を含んだ通信ネットワークの無線アクセスネットワーク（ＲＡＮ）のための装置であって、請求項６から１０のいずれか一項に記載の装置（Ｄ）を含むことを特徴とする装置。
【請求項１３】
少なくとも１つの無線ネットワークコントローラ（ＢＳＣｎ）を含んだ無線アクセスネットワーク（ＲＡＮ）を含んだ通信ネットワークであって、請求項６から１０のいずれか一項に記載の少なくとも１つの装置（Ｄ）を含むことを特徴とする通信ネットワーク。
【発明の詳細な説明】
【技術分野】
【０００１】
本発明は、通信ネットワークの分野に関し、詳細には、通信ネットワークの移動局（またはユーザ機器）と無線アクセスネットワーク（ＲＡＮ）との間のリンクの中断を管理することに関する。
【背景技術】
【０００２】
多数の通信ネットワーク、特にセルラーネットワークには、その加入者の移動局とそのそれぞれの無線アクセスネットワークとの間の無線リンクを提供できない、いわゆる「シャドウ」ゾーンが含まれる。したがって、通信ネットワークとの無線リンクを構築した移動局がネットワークのシャドウゾーンに入り込むと、リンクが一時的に中断される。一般に、選択されたいくらかの持続期間、典型的には数秒間の中断の後に、その移動局は、無線アクセスネットワークから見失われたものと見なされ、無線アクセスネットワークによって、より精確にはそのノードもしくは無線ネットワークコントローラ（ＲＮＣ）のうちの１つによって事前に当該リンクに割り当てられた無線リソースは、使用されていないものと見なされる。言い換えれば、リンクは、永久的に中断される。
【０００３】
一般に、無線ネットワークコントローラは、移動局の不在を検出するまで、現時の無線リンクを介してアプリケーションデータを伝送し続ける。そのような不在が検出されると、すぐにデータ伝送が永久的に中断されて、選択された中断期間の終わりに達していない場合でも、無線リンクが中止されることになる。
【０００４】
また、特許文献ＷＯ００／３３５９５では、移動局がその無線環境に異常を検出した場合に、当該移動局が、新しい無線伝播環境を見つけるための検索を行い、かつ、事前に無線ネットワークコントローラによって最初のリンクを確立するために使用された既にアクセス不能になった基地局以外の基地局を介した新しい接続を要求するように、移動局を構成することも提案されている。その解決策は、移動局の変更を必要とし、また、必要な処理時間を考えると、中断が非常に短い持続期間である場合に、最初のリンクが再確立されるのを妨げる恐れがある。
【発明の開示】
【発明が解決しようとする課題】
【０００５】
ゆえに、本発明の目的は、前述の欠点を完全または部分的に改善することである。
【課題を解決するための手段】
【０００６】
この目的のために、本発明は、通信ネットワークにおいて移動局（例えば、移動電話など）と無線アクセスネットワークとの間の無線リンクを管理する方法であって、移動局と無線アクセスネットワークとの間の無線リンクの中断が検出された場合に、当該無線リンクが（中止されるのではなく）一時停止され、次いで、選択されたタイムテーブル、例えば定期的なタイプのタイムテーブルを適用して当該無線リンクの再開が試行される方法を提供する。
【０００７】
無線リンクの再開の試行が、中断が検出されるたびに行われることが好ましい。
【０００８】
また、無線リンクの再開の試行が、選択された時間間隔、例えば数秒程度にわたって、選択されたタイムテーブルを適用して行われることが好ましい。
【０００９】
本発明は、また、通信ネットワークにおいて移動局と無線アクセスネットワーク（ＲＡＮ）の少なくとも１つの無線ネットワークコントローラとの間の無線リンクを管理する装置（Ｄ）であって、第１に、移動局と無線ネットワークコントローラとの間の無線リンクの中断を検出可能な検出手段と、第２に、そのような中断が検出された場合に、無線リンクを一時停止し、次いで選択されたタイムテーブル、例えば定期的なタイプのタイムテーブルを適用して前記無線リンクの再開を試行するよう、無線ネットワークコントローラに命令することが可能な制御手段とを含む装置を提供する。
【００１０】
また、当該制御手段を、中断が検出されるたびに無線リンクの再開を試行するよう、無線ネットワークコントローラに命令するように構成することもできる。
【００１１】
さらに、当該制御手段を、例えば数秒程度に等しい、選択された時間間隔の間、、選択されたタイムテーブルを適用して無線リンクの再開を試行するよう、無線ネットワークコントローラに命令するようなに構成することもできる。
【００１２】
また、本発明は、例えばネットワークがユニバーサル移動電話システム（ＵＭＴＳ）タイプのものであるときには任意でノードＢに接続されたＲＮＣ、または、例えば移動通信用グローバルシステム／汎用パケット無線サービス（ＧＳＭ／ＧＰＲＳ）タイプのネットワークの場合には、無線基地局（ＢＴＳ）に任意で接続された基地局コントローラ（ＢＳＣ）など、他の無線アクセスネットワーク機器に任意で接続された無線ネットワークコントローラ、及び、前述したタイプの少なくとも１つの装置を含んだ通信ネットワークを提供する。
【００１３】
本発明の装置、無線ネットワークコントローラ、無線アクセスネットワーク装置、および方法は、これだけに限るものではないが、特にセルラー通信ネットワークに適合され、特に、時分割多元接続（ＴＤＭＡ）、符号分割多元接続（ＣＤＭＡ）、ＣＤＭＡ−Ｏｎｅ、ＰＨＥ、およびフォーマ（ＦＯＭＡ）タイプのネットワークに適合される。
【００１４】
本発明の他の特徴および利点は、以下の詳細な説明および単一の添付図を検討すれば明らかである。この図は、本発明を説明する役割を果たすだけでなく、適切な場合には本発明を定義するのに役立つこともある。
【発明を実施するための最良の形態】
【００１５】
本発明は、無線シャドウゾーンが存在するときの、移動電話などのような、無線アクセスネットワークを使用する、無線アクセスネットワークと移動局との間のリンク中断を管理する、装置および方法に関する。したがって、このような装置および方法は、それぞれ、セルラー通信ネットワーク、特に、公衆陸上移動ネットワーク（ＰＬＭＮ）、例えば、ＧＳＭ／ＧＰＲＳネットワークなどのいわゆる「２Ｇ」もしくは「２．５Ｇ」ネットワーク、またはＵＭＴＳネットワークなどのいわゆる「３Ｇ」ネットワークに、インストールされ及び実装されることが意図されている。しかしながら、本発明は、このようなネットワークだけに限定されず、より一般的に、すべてのセルラーネットワーク、特に、ＴＤＭＡ、ＣＤＭＡ、ＣＤＭＡ−Ｏｎｅ、ＰＨＳ、およびＦＯＭＡタイプのネットワークに適用される。
【００１６】
単一の図に示したように、これらのセルラーネットワークは、無線アクセスネットワークに接続されたコアネットワーク（ＣＮ）を含むものとして、非常に簡潔に、それでも本発明を理解するには十分な形で要約することができ、この無線アクセスネットワークは、
インターフェースを介してコアネットワークに接続された複数のノード（もしくは無線ネットワークコントローラ）を含む。これらのノードは、ＧＳＭ／ＧＰＲＳタイプのネットワークでは基地局コントローラ（ＢＳＣ）として知られ、ＵＭＴＳタイプのネットワークでは無線ネットワークコントローラ（ＲＮＣ）として知られる。無線アクセスネットワークは、さらに、
それぞれ、第１に、それぞれがある無線地域をカバーする１つもしくは複数のセルに関係付けられ、第２に、論理インターフェースを介して複数のノードの１つに個々にまたはグループで接続された、複数の無線通信基地局を含む。このような基地局は、ＧＳＭ／ＧＰＲＳタイプのネットワークの場合はＢＴＳと呼ばれ、ＵＭＴＳネットワークではノードＢと呼ばれる。
【００１７】
非限定的な例示により、ＴＤＭＡタイプ、より詳細にはＧＰＲＳタイプのネットワークに関して説明する。さらに、移動局ＭＳ−ｉ（この場合、ｉ＝１〜３）が、例えばワイヤレスアプリケーションプロトコル（ＷＡＰ）タイプ、ショートメッセージサービス（ＳＭＳ）タイプ、拡張メッセージサービス（ＥＭＳ）タイプ、マルチメディアメッセージサービス（ＭＭＳ）タイプ、および／またはトランスポートコントロールプロトコル（ＴＣＰ）タイプのプロトコルを使用して、他のネットワーク機器とデータ交換可能であると考える。したがって、移動局ＭＳ−ｉを、移動電話、携帯情報端末（ＰＤＡ）、または無線インターフェースを備えたポータブルコンピュータとすることができ、より一般的には、無線インターフェースを備えた、遠隔監視もしくは遠隔モニタリングの用途、または実際に道路交通もしくは鉄道輸送の制御に特に適合された、いずれかのタイプのモバイルもしくは移動型機械にすることができる。また、一例として、この場合にはＢＴＳｊ（ｊ＝１または２）によって構築されるＲＡＮの各基地局が、地理的地域を画定する単一のセルＣｊ（以下、簡潔に、対応するセルＣｊと呼ぶ）を制御すると考える。当然ながら、各ＢＴＳは、複数のセルを制御することができ、地理的地域を複数のセルまたはセルの一部分によって画定することができる。最後に、各ＢＳＣｎ（ｎ＝１または２）が単一の基地局ＢＴＳｊを制御すると考える。
【００１８】
前述したように、本発明の装置Ｄは、移動局ＭＳ−ｉがセルＣｊ内の無線シャドウゾーンの１つに到達したときにリンクの中断とともに生じる問題に対処するように設計される。
【００１９】
そのような状況が起こる前には、移動局ＭＳ−ｉは、例えば、当該移動局が位置するセルＣｊを管理するＢＴＳｊを介し、かつ、ＲＡＮ内のＢＴＳｊを管理し、ネットワークの無線リソースの一部分を割り当てるＢＳＣｎを介して、ネットワークの他の機器とのリンクを構築している。
【００２０】
シャドウゾーンに入り込むと、移動局ＭＳ−ｉは、もはやそれが属するＢＴＳｊの無線範囲内にないので、もはや通信ネットワークとデータを交換することができない。言い換えれば、リンクは、中断された状態になる。
【００２１】
このような中断に対処するために、ＲＡＮの各ＢＳＣに管理装置Ｄを組み込むことが好ましい。
【００２２】
管理装置Ｄは、第１に、トラフィックの中断を検出する検出モジュールＤＭを含む。定義によれば、「トラフィックの中断」は、事前にそれとのリンクが確立されていた移動局ＭＳ−ｉから、転送されるサービスデータおよび／またはデータがもはや受け取られないという事実を示す。
【００２３】
また、装置Ｄは、検出モジュールＤＭに接続され、中断が検出されたことを前記検出モジュールＤＭが警告するときにＢＳＣｎに介入するように設計された制御モジュールＣＭも含む。
【００２４】
検出モジュールＤＭが、選択された何らかの値Ｔｉｎｔ以上の持続期間を有するデータ転送の中断を検出するたびに、中断が検出されたことを警告するメッセージを制御モジュールＣＭへと送ることが好ましい。このメッセージを受け取ると、制御モジュールＣＭは、問題となっている無線リンクを一時停止し、次いで選択されたタイムテーブルを適用して当該無線リンクの再開を試行するよう命じるメッセージを、ＢＳＣへと送る。
【００２５】
また、リンクの再開が、定期的なタイプのタイムテーブルを適用して試行されることが好ましい。例えば、この期間を１秒程度にすることができる。
【００２６】
一変形形態では、リンク再開の試行を、問題となっているネットワークについて知られている統計結果を使用するタイムテーブルを適用して行うことができる。例えば、ほとんどの中断が、２秒もしくは３秒の持続時間を有する、または「無限」（すなわち、永久的な中断）であると考えられる場合、リンク再開の試行を、２秒中断後に１回試行し、３秒後にもう１回試行し、これら両方の試行が無効の場合にその中断を永久的なものとして処理するというタイムテーブルを適用することができる。この変形形態では、制御モジュールＣＭが、通信ネットワークから受け取る、検出モジュールＤＭによって検出された中断の持続時間に関する統計結果に基づいて、タイムテーブルを生成することが好ましい。
【００２７】
さらに、無線リンク再開の試行が、例えば持続時間ＲＬに等しい、選択された時間間隔、についての選択されたタイムテーブルを適用して実施されることが好ましく、その時間間隔を超えると、移動局ＭＳ−ｉによってリンクの切断が永久的であると見なされる。ＧＰＲＳタイプのネットワークでは、この持続時間ＲＬが５秒に等しい。一旦、持続時間ＲＬが経過すると、リンクは、永久的に中断していると見なされる。次いで、ＢＳＣは、管理装置Ｄの制御モジュールＣＭによって、新しい無線リンクに無線リソースを割り当てる権限を与えられる。
【００２８】
本発明により、選択された時間間隔の持続時間を通じて、無線リソースが一時的に中断されたリンクに割り当てられ続けるので、移動局ＭＳ−ｉが無線シャドウゾーンを離れ次第（当然ながら、選択された時間間隔が経過していないものとする）、即座にリンクを再確立することを可能とする。加えて、ＣＤＭＡの場合の様に、ＧＰＲＳでは通過帯域が共有されるので、中断の持続時間を通じて、まだ通信できる他の移動局によって通過帯域を再利用することができる。言い換えれば、移動局と通信する可能性が十分でないことが統計的に知られたときに、トラフィックが中断される。したがって、使用できる他の移動局に通過帯域を割り当てることができる。
【００２９】
前述したように、本発明の装置Ｄが各ネットワークコントローラＢＳＣにインストールされることが好ましい。そのような状況では、ネットワークコントローラＢＳＣのうち、パケットモードのデータ転送の制御を担う部分、すなわち、ＧＰＲＳタイプのネットワークでは当該ネットワークの各ＢＳＣのパケット制御ユニット（ＰＣＵ）機能に統合されることが好ましい。一般に、本発明の装置は、ＢＳＣがＰＣＵ機能をサポートする場合にはＢＳＣに、他の機器がＰＣＵ機能をサポートする場合にはその機器に含められることが好ましい。
【００３０】
本発明の装置Ｄの制御モジュールＣＭおよび検出モジュールＤＭは、ソフトウェアモジュールの形態で実装することができる。しかし、それらをまた、少なくとも部分的に、電子回路（ハードウェア）の形態で実装することもでき、または実際にソフトウェアモジュールと電子回路との組合せの形態で実装することもできる。
【００３１】
本発明は、また、通信ネットワークの移動局ＭＳ−ｉと無線アクセスネットワーク（ＲＡＮ）との間の無線リンクの一時的な中断を管理する方法も提供する。
【００３２】
この方法は、前述の装置を使用して実施することができる。この方法の諸ステップによって実施される主機能および任意機能ならびに副次機能は、前述した装置を構築する様々な手段によって実施されるものとほぼ同一であり、以下の説明は、単に本発明の方法の主機能を実施する諸ステップを要約しているにすぎない。
【００３３】
本発明の方法は、ＲＡＮ、例えばその無線ネットワークコントローラの少なくとも１つ（例えばＢＳＣ）において実施され、移動局から（基地局ＢＴＳを介して）受け取る、移動局とＲＡＮとの間の無線リンクの状態を表すデータを監視して、前記無線リンクの中断が検出された場合に、その無線リンクが一時停止され、次いで、選択されたタイムテーブル、例えば定期的なタイプのタイムテーブルに応じてその無線リンクの再開が試行されるようにするものである。
【００３４】
本発明は、単なる一例として前述した、装置、無線ネットワーク機器、基地局、および無線ネットワークコントローラの諸実施形態、または方法の実行形態だけに限定されず、冒頭の特許請求の範囲内で当業者が考案できる、任意の変形形態をカバーする。
【図面の簡単な説明】
【００３５】
【図１】本発明の管理装置を含んだ通信ネットワークの一部分を示す図である。
【符号の説明】
【００３６】
Ｄ  管理装置
ＤＭ  検出モジュール
ＣＭ  制御モジュール
【図１】
2006501731.tif 000003
【国際調査報告】
2006501731.tif 000004
2006501731.tif 000005
2006501731.tif 000006
2006501731.tif 000007